(57)【要約】【課題】  パーマネント施術を行った後に額部に着用するヘアーバンドがずれないように固定するが、この固定作業が非常に簡単に行えるパーマネント用ヘアーバンドの提供。【解決手段】  額に巻く帯状のバンド部１１０と、前記バンド部１１０の表面側に取設されてバンド部１１０を頭側に固定する固定部１２０と、を備え、前記固定部１２０は、巻取ホイール１２２を収容し、係止部１２５を介して引出紐１２４が引き出されて頭側に固定されるベース部１２１と、前記ベース部１２１に収容され、前記引出紐１２４が巻き取られ、うず巻ばね１２６により前記引出紐１２４に復元弾性力を与える巻取ホイール１２２と、前記巻取ホイール１２２を覆い、前記ベース部１２１に止着されるカバー部１２３と、を備えることを特徴とするパーマネント用ヘアーバンド。【選択図】  図２
2014097392.tif 000002
【特許請求の範囲】
【請求項１】
額に巻く帯状のバンド部（１１０）と、前記バンド部（１１０）の表面側に取設されてバンド部（１１０）を頭側に固定する固定部（１２０）と、を備え、
前記固定部（１２０）は、
巻取ホイール（１２２）を収容し、係止部（１２５）を介して引出紐（１２４）が引き出されて頭側に固定されるベース部（１２１）と、
前記ベース部（１２１）に収容され、前記引出紐（１２４）が巻き取られ、うず巻ばね（１２６）により前記引出紐（１２４）に復元弾性力を与える巻取ホイール（１２２）と、
前記巻取ホイール（１２２）を覆い、前記ベース部（１２１）に止着されるカバー部（１２３）と、
を備えることを特徴とするパーマネント用ヘアーバンド。
【請求項２】
前記バンド部（１１０）は所定の幅を有する帯状を呈し、両端には互いに着脱可能な係合部（１１１）（１１２）がさらに形成されることを特徴とする請求項１に記載のパーマネント用ヘアーバンド。
【請求項３】
前記ベース部（１２１）は、
巻取ホイール（１２２）が収容される円形の収容部（１２１ａ）と、
前記巻取ホイール（１２２）の軸孔（１２２ｃ）が嵌入する中心軸（１２１ｂ）と、
前記収容部（１２１ａ）の一方の側に形成されて内側の貫通孔（１２１ｅ）から引き出される引出紐（１２４）と前記引出紐（１２４）の端部に連結された係止部（１２５）を収容して支持するガイド部（１２１ｃ）と、
を備えることを特徴とする請求項１に記載のパーマネント用ヘアーバンド。
【請求項４】
前記ベース部（１２１）のガイド部（１２１ｃ）の先端部には、突出部（１２１ｆ）および係止溝（１２１ｇ）がさらに形成されることを特徴とする請求項３に記載のパーマネント用ヘアーバンド。
【請求項５】
前記ベース部（１２１）に形成されたガイド部（１２１ｃ）は、収容部（１２１ａ）を基準として前面に所定の角度だけ突設されたことを特徴とする請求項３に記載のパーマネント用ヘアーバンド。
【請求項６】
前記巻取ホイール（１２２）は、
引出紐（１２４）の一方の端が固定されて巻き取られる巻取部（１２２ａ）と、
うず巻ばね（１２６）が載置される載置部（１２２ｂ）と、
前記ベース部（１２１）の中心軸（１２１ｂ）が貫通される軸孔（１２２ｃ）と、
を備えることを特徴とする請求項１に記載のパーマネント用ヘアーバンド。
【請求項７】
前記引出紐（１２４）には、所定の間隔を隔てて結び目（１２４ａ）が形成されることを特徴とする請求項１に記載のパーマネント用ヘアーバンド。
【発明の詳細な説明】
【技術分野】
【０００１】
本発明は、パーマネント用ヘアーバンドに係り、さらに詳しくは、パーマネント施術を行った後に額部に着用するヘアーバンドがずれないように固定するが、この固定作業が非常に簡単に行えるパーマネント用ヘアーバンドに関する。
【背景技術】
【０００２】
周知のパーマネント用ヘアーバンドは、パーマネント施術を行った後に、染色薬や中和剤が顔部位に流下することを防ぐために用いられる用具である。
【０００３】
従来のヘアーバンド１０は、図１に示すように、ヘアーロール１１に髪を巻き付け、ゴムバンド１２をヘアーロール１１に絡めてパーマネント施術を行った後に額部位に着用して塗布された中和剤やその他の染色薬剤が顔面部位に流下することを防ぐ。
【０００４】
このため、上記のヘアーバンド１０は、吸収力を有する素材から製造され、弾性力を有する円形状や着脱自在な帯状を呈する。
【０００５】
しかしながら、前記ヘアーバンド１０は、着用後に顔部位に頻繁にずるけるという問題があった。
【０００６】
このため、従来には、前記ヘアーバンド１０の上にゴム紐の一方の側を結び付け、他方の側をヘアーロール１１に結び付ける方法が提案されているが、この方法は、ゴム紐をヘアーロール１１に絡めなければならないという別の煩雑があった。
【先行技術文献】
【特許文献】
【０００７】
【特許文献１】大韓民国公開特許２００１−００５４７１６号公報
【発明の概要】
【発明が解決しようとする課題】
【０００８】
本発明は上記事情に鑑みてなされたものであり、その目的は、パーマネント施術を行った後に額部位に着用するヘアーバンドがずるけないように固定するが、この固定作業が非常に簡単に行えるパーマネント用ヘアーバンドを提供することである。
【課題を解決するための手段】
【０００９】
上記の目的を達成するために、本発明は、額に巻く帯状のバンド部と、前記バンド部の表面側に取設されてバンド部を頭側に固定する固定部と、を備え、前記固定部は、巻取ホイールを収容し、係止部を介して引出紐が引き出されて頭側に固定されるベース部と、前記ベース部に収容され、前記引出紐が巻き取られ、うず巻ばねにより前記引出紐に復元弾性力を与える巻取ホイールと、前記巻取ホイールを覆い、前記ベース部に止着されるカバー部と、を備えることを特徴とする。
【００１０】
また、本発明に係るパーマネント用ヘアーバンドにおいて、前記バンド部は、所定の幅を有する帯状を呈し、両端には互いに着脱可能な係合部がさらに形成されることが好ましい。
【００１１】
さらに、本発明に係るパーマネント用ヘアーバンドにおいて、前記ベース部は、巻取ホイールが収容される円形の収容部と、前記巻取ホイールの軸孔が外嵌される中心軸と、前記収容部の一方の側に形成されて内側の貫通孔から引き出される引出紐と前記引出紐の端部に連結された係止部を収容して支持するガイド部と、を備えることが好ましい。
【００１２】
さらに、本発明に係るパーマネント用ヘアーバンドにおいて、前記ベース部のガイド部の先端部には、突出部および係止溝がさらに形成されることが好ましい。
【００１３】
さらに、本発明に係るパーマネント用ヘアーバンドにおいて、前記ベース部に形成されたガイド部は、収容部を基準として前面に所定の角度だけ突設されることが好ましい。
【００１４】
さらに、本発明に係るパーマネント用ヘアーバンドにおいて、前記巻取ホイールは、引出紐の一方の端が固定されて巻き取られる巻取部と、うず巻ばねが載置される載置部と、前記ベース部の中心軸が貫通される軸孔と、を備えることが好ましい。
【００１５】
さらに、本発明に係るパーマネント用ヘアーバンドにおいて、前記引出紐には、所定の間隔を隔てて結び目が形成されることが好ましい。
【発明の効果】
【００１６】
以上述べたように、本発明は、パーマネント施術を行った後に額部に着用するヘアーバンドがずるけないように固定するが、この固定作業が非常に簡単に行えるというメリットがある。
【図面の簡単な説明】
【００１７】
【図１】従来のパーマネント用ヘアーバンドの構成図である。
【図２】本発明に係るパーマネント用ヘアーバンドの構成図である。
【図３】本発明に係るバンド部の詳細構成図である。
【図４】本発明に係るバンド部の分解斜視図である。
【図５】本発明に係るバンド部の側面構成図である。
【図６】本発明に係るバンド部のガイド部の詳細構成図である。
【図７】本発明に係るパーマネント用ヘアーバンドの着用状態図である。
【発明を実施するための形態】
【００１８】
以下、添付図面に基づき、本発明の好適な実施形態に係るパーマネント用ヘアーバンドについて詳述する。
【００１９】
図２は、本発明に係るパーマネント用ヘアーバンドの構成図である。
【００２０】
同図に示すように、本発明に係るパーマネント用ヘアーバンド１００は、額に巻く帯状のバンド部１１０と、前記バンド部１１０の表面側に取設されてバンド部１１０を頭側に固定する固定部１２０と、を備える。
【００２１】
前記バンド部１１０は、水分を吸収する布地から製造されることが好ましいが本発明はこれに何ら限定されるものではない。
【００２２】
また、前記バンド部１１０は、所定の弾性力と所定の幅を有する円形の帯状を呈してもよく、所定の幅を有する帯状を呈し、且つ、両端には互いに着脱可能な係合部１１１、１１２を有していてもよい。
【００２３】
前記係合部１１１、１１２は、ベルクロテープであることが好ましい。
【００２４】
前記固定部１２０は、図３および図４に示すように、巻取ホイール１２２を収容し、係止部１２５を介して引出紐１２４が引き出されて頭側に固定されるベース部１２１と、前記ベース部１２１に収容され、前記引出紐１２４が巻き取られ、うず巻ばね１２６により前記引出紐１２４に復元弾性力を与える巻取ホイール１２２と、前記巻取ホイール１２２を覆い、前記ベース部１２１に止着されるカバー部１２３と、を備える。
【００２５】
より具体的に、前記ベース部１２１は、巻取ホイール１２２が収容される円形の収容部１２１ａと、前記巻取ホイール１２２の軸孔１２２ｃが外嵌される中心軸１２１ｂと、前記収容部１２１ａの一方の側に形成されて内側の貫通孔１２１ｅから引き出される引出紐１２４と前記引出紐１２４の端部に連結された係止部１２５を収容して支持するガイド部１２１ｃと、を備える。
【００２６】
前記巻取ホイール１２２は、引出紐１２４の一方の端が固定されて巻き取られる巻取部１２２ａと、うず巻ばね１２６が載置される載置部１２２ｂと、前記ベース部１２１の中心軸１２１ｂが貫通される軸孔１２２ｃと、を備える。
【００２７】
前記うず巻ばね１２６は、中央に形成された一方の端が前記ベース部１２１の中心軸１２１ｂに固定され、外周に形成された他方の端は前記巻取ホイール１２２の内側に固定される。
【００２８】
前記カバー部１２３は、中央に前記ベース部１２１の中心軸１２１ｂをガイドする開放部１２３ａを備え、前記ベース部１２１に取り付けられる。
【００２９】
また、前記ベース部１２１のガイド部１２１ｃの先端部には、突出部１２１ｆおよび係止溝１２１ｇがさらに形成される。
【００３０】
さらに、前記ベース部１２１に形成されたガイド部１２１ｃは、図５の側面図に示すように、収容部１２１ａを基準として前面に所定の角度θだけ突設される。
【００３１】
一方、前記巻取ホイール１２２と係止部１２５との間に介装される引出紐１２４には、所定の間隔を隔てて結び目１２４ａが形成される。
【００３２】
前記ベース部１２１のガイド部１２１ｃに刻設された係止溝１２１ｇは、図６に示すように、引出紐１２４の結び目１２４ａが引っ掛かるための構成要素である。
【００３３】
さらに、前記ガイド部１２１ｃを前面に所定の角度だけθ突設した理由は、前記引出紐１２４を引き出して固定するときにその結び目１２４ａが引っ掛かり易くするためである。
【００３４】
前記引出紐１２４に結び目１２４ａを形成し、前記結び目１２４ａが係止溝１２１ｇに引っ掛かるようにする理由は、先ず、第一に、ヘアーバンド１００を頭に固定するために前記係止部１２５を引っ張って引出紐１２４が引き出されるときに、誤って係止部１２５を逃す場合に前記引出紐１２４の復元力によって引出紐１２４がいきなり巻き込まれながら係止部１２５がヘアーバンド１００の着用者の顔を強打する問題を防ぐためであり、第二に、ヘアーバンド１００を頭に固定するために引出紐１２４を引き出して係止部１２５をヘアーロール１１に絡められたゴムバンド１２の間に挟み込むときに、引出紐１２４の結び目１２４ａが係止溝１２１ｇに引っ掛かるようにして引出紐１２４に与えられていた復元弾性力を打ち消して係止部１２５をヘアーロール１１に絡められたゴムバンド１２に取り付け易くするためである。
【００３５】
このような構成を有する本発明に係るパーマネント用ヘアーバンドの作用状態について、図７に基づいて説明する。
【００３６】
先ず、多数のヘアーロール１１にこれらを支持するゴムバンド１２を絡めてパーマネント施術を行った後に、被施術者の額にはヘアーバンド１００が着用される。
【００３７】
前記ヘアーバンド１００の着用は、バンド部１１０の端部に形成された係合部１１１、１１２を介して長さを調節して止着することにより行われる。このとき、前記バンド部１１０の表面側に形成された固定部１２０が額の中央にくるようにすることが好ましい。
【００３８】
このようなバンド部１１０の着用に際しての固定部１２０の初期状態は、下記の通りである。
【００３９】
すなわち、巻取ホイール１２２に巻き取られた引出紐１２４は、うず巻ばね１２６の弾性力によって係止部１２５をガイド部１２１ｃの内部に引っ張る力を与えて、前記係止部１２５は、図３に示すように、ガイド部１２１ｃの引出孔１２１ｄの外部に一部のみが突き出た状態を維持する。
【００４０】
このとき、施術者がヘアーバンド１００を頭に固定するために前記係止部１２５を引っ張ると、これに連動して引出紐１２４が引き出されながら巻取ホイール１２２は回転され、前記巻取ホイール１２２の回転によってうず巻ばね１２６が弛んで復元弾性力が高くなる。
【００４１】
このように、係止部１２５と引出紐１２４がある程度の長さだけ引き出されると、図６に示すように、引出紐１２４の結び目１２４ａがガイド部１２１ｃの係止溝１２１ｇに引っ掛かるように引出紐１２４を下方にのけ反る。
【００４２】
その結果、前記引出紐１２４の結び目１２４ａが係止溝１２１ｇに引っ掛かって引出紐１２４に与えられていた復元弾性力は消失される。
【００４３】
この状態で、前記係止部１２５をヘアーロール１１に絡められたゴムバンド１２の間に挟み込む。
【００４４】
このため、固定バンド１００のバンド部１１０は、固定部１２０の引出紐１２４及び係止部１２５によってパーマネント施術を行った頭のヘアーロール１１に仮着されてずるけなくなる。
【００４５】
次いで、パーマネント施術が完了してヘアーバンド１００の着用を解放する場合に、先ず、ヘアーロール１１のゴムバンド１２の間に挟み込まれた係止部１２５を取り出した後に、上方に持ち上げて引出紐１２４の結び目１２４ａを係止溝１２１ｇから引き抜く。
【００４６】
このため、前記係止溝１２１ｇから引き抜かれた引出紐１２４は、復元弾性力が復活されて巻取ホイール２２の巻取部２２ａに速やかに巻き込まれ、係止部１２５は上部がガイド部１２１ｃに位置することとなる。
【００４７】
次いで、バンド部１１０の係合部１１１、１１２を引き離すと、全ての動作は終了される。
【符号の説明】
【００４８】
１００：ヘアーバンド
１１０：バンド部
１１１、１１２：係合部
１２０：バンド部
１２１：ベース部
１２１ａ：収容部
１２１ｂ：中心軸
１２１ｃ：ガイド部
１２１ｄ：引出孔
１２１ｅ：貫通孔
１２１ｆ：突出部
１２１ｇ：係止溝
１２２：巻取ホイール
１２２ａ：巻取部
１２２ｂ：載置部
１２２ｃ：軸孔
１２３：カバー部
１２３：開放孔
１２４：引出紐
１２４ａ：結び目
１２５：係止部
１２６：うず巻ばね
【図１】
2014097392.tif 000003
【図２】
2014097392.tif 000004
【図３】
2014097392.tif 000005
【図４】
2014097392.tif 000006
【図５】
2014097392.tif 000007
【図６】
2014097392.tif 000008
【図７】
2014097392.tif 000009